(57)【特許請求の範囲】
【請求項１】
リール本体の左右側板間に回転自在に支持され、釣糸が巻回される釣糸巻回胴部の両側にフランジ部が形成されたスプールと、
前記左右側板間に前記スプールとは独立して回転自在に支持される巻取駆動部材と、
前記左右側板の一方の側板とスプールのフランジ部の外側面との間に配設され、回転する前記スプールに対する結合力を調整してスプールに作用する制動力を磁場の大きさによって調整可能にする磁気制動手段と、
前記リール本体に装着され、前記磁気制動手段に対して異なる磁場を付与可能な磁場発生手段と、
を備え、
前記磁気制動手段は、前記フランジ部の外側面と対向して配設されることを特徴とする魚釣用リール。
【請求項２】
前記磁気制動手段は、密閉空間を有する収容部材と、前記収容部材内に密封され、前記磁場発生手段によって発生される磁場の大きさに応じて結合力が変化する磁気反応摩擦材と、前記収容部材内に配設され、前記磁気反応摩擦材に対する剪断応力によってスプールに対して制動力を付与する複数枚の制動板と、
を有することを特徴とする請求項１に記載の魚釣用リール。
【請求項３】
前記収容部材は、前記スプールのフランジ部の外側面に取着されており、
前記複数枚の制動板は、前記スプールと共に一体回転可能なスプール側制動板と、前記巻取駆動部材と共に一体回転可能な巻取駆動部材側制動板とを備え、これら制動板を対向配置したことを特徴とする請求項２に記載の魚釣用リール。
【請求項４】
前記磁場発生手段は、前記側板に対して固定される励磁コイルを備えていることを特徴とする請求項１から３のいずれか１項に記載の魚釣用リール。
【請求項５】
前記スプール側制動板は、前記スプールのフランジ部の外側面に対して軸方向に突出した環状に形成され、
前記巻取駆動部材側制動板は、前記環状に形成されたスプール側制動板と対向配置されるように環状に形成されていることを特徴とする請求項３に記載の魚釣用リール。
【請求項６】
前記磁場発生手段は、前記収容部材の軸方向外方で、前記側板に対して固定される励磁コイルを備えていることを特徴とする請求項５に記載の魚釣用リール。
【請求項７】
前記スプールのフランジ部の外側面には、凹所が形成されており、
前記凹所内に、前記収容部材の少なくとも一部が収容されていることを特徴とする請求項２から６のいずれか１項に記載の魚釣用リール。
【請求項８】
前記磁気制動手段及び磁場発生手段は、前記スプールを回転駆動するハンドルが装着される側板側に配設されていることを特徴とする請求項１から７のいずれか１項に記載の魚釣用リール。
【発明の詳細な説明】
【技術分野】
【０００１】
本発明は、魚釣用リールに関し、詳細には、磁場の大きさによってスプールに対する制動力を調整する磁気制動手段を備えた魚釣用リールに関する。
【背景技術】
【０００２】
従来、魚釣用リールには、スプールに対して制動力を付与する制動装置が設けられている。制動装置については様々な方式が存在しており、その中には、例えば、特許文献１に開示されているように、磁場の大きさを調整することでスプールに対する制動力を変更するものが知られている。
【０００３】
前記特許文献１に開示された制動装置は、磁気反応摩擦材である磁性紛体を充填した密封ケースをリール本体の反ハンドル側の外カバーとスプールとの間の空間に軸受によって回転可能に支持しており、パウダブレーキ方式とも称されている。前記密封ケースには、スプール軸が挿通されるように、スプール側に向けて突出管部が形成されており、この突出管部がスプールのフランジの中央部分に形成された貫通孔に嵌入されることで密封ケースは前記空間内においてスプールと共に一体回転可能となっている。
【０００４】
そして、前記密封ケース内には、スプール軸が密封ケースとの間に配設された軸受を介して回転可能に挿通されており、そのスプール軸には、磁性紛体を充填した密封ケース内に収納されるように制動板（回転板）が取り付けられている。また、制動板の径方向外側には、隙間を介して環状の励磁コイルが設けられており、励磁コイルに電流を流すことで磁性紛体は励磁によって発生する磁束に沿って鎖状に連結して固体状となり、密封ケースと制動板との間に摩擦抵抗が生じて制動力（ドラグ力）を生じさせる。すなわち、制動板は、固体状になった磁性紛体に対して剪断応力を作用させながら回転することから、これがスプール軸に対して制動力を付与することとなる。この場合、励磁コイルに流れる電流値は、制御部によって制御されるようになっており、発生する磁場の大きさを調整することで、制動力が調整可能となっている。
【０００５】
なお、上記したように、密封ケースに磁気反応摩擦材を収容して、磁場を加えるとともにその磁場の大きさを調整することで制動力を調整する制動装置は、磁気反応摩擦材として、上記した磁性紛状体以外にも、たとえばポリアルファーオレフィンやグリスなどをベースオイルにし、ここに直径が１〜１０ミクロン程度の鉄粉を混ぜた磁気粘性流体（Magnetorheological Fluid;ＭＲ流体とも称される）を用いることも知られている。
【先行技術文献】
【特許文献】
【０００６】
【特許文献１】実開平０１−０８７６６９号
【発明の概要】
【発明が解決しようとする課題】
【０００７】
上記した従来の磁気制動手段による制動装置は、制動力を生じさせる磁気反応摩擦材を収容する密封ケースを、リール本体の外カバーとフレーム（側枠）との間の空間に配設しているため、ある程度のスペースが必要とされ、リール本体を小型化することができないという問題がある。また、スプールと密封ケースとの間には、フレーム（側枠）が介在しているため、スプールと制動部分を強固に固定することが難しく、結果としてスプールに対して大きな制動力を作用させることができないという問題がある。
【０００８】
本発明は、上記した問題に着目してなされたものであり、リール本体を小型化して、スプールに対して大きな制動力を作用させることを可能にする磁気制動手段を組み込んだ魚釣用リールを提供することを目的とする。
【課題を解決するための手段】
【０００９】
上記した目的を達成するために、本発明に係る魚釣用リールは、リール本体の左右側板間に回転自在に支持され、釣糸が巻回される釣糸巻回胴部の両側にフランジ部が形成されたスプールと、前記左右側板間に前記スプールとは独立して回転自在に支持される巻取駆動部材と、前記左右側板の一方の側板とスプールのフランジ部の外側面との間に配設され、回転する前記スプールに対する結合力を調整してスプールに作用する制動力を磁場の大きさによって調整可能にする磁気制動手段と、前記リール本体に装着され、前記磁気制動手段に対して異なる磁場を付与可能な磁場発生手段と、を備え、前記磁気制動手段は、前記フランジ部の外側面と対向して配設されることを特徴とする。
【００１０】
上記した構成の魚釣用リールでは、スプールに対して制動力を付与する磁気制動手段が前記フランジ部の外側面と対向しており、磁気制動手段とフランジ部の外側面の間に、両者を仕切る側枠（フレーム）等が介在しないことから、従来のように、スプールと外カバーとの間に、磁気制動手段用の大きなスペースを設置する必要が無くなり、リール本体を可及的に小型化することが可能となる。また、両者を仕切るための側枠等を設けないことから、構造を簡略化してスプールと磁気制動手段を強固に接続することができ、大きな制動力を作用させることが可能となる。
【００１１】
上記した構成において、スプールは、巻取駆動部材に対して相対回転可能な関係となっている。巻取駆動部材として、スプールを回転自在に支持するスプール軸や、スプールに回転トルクを与える駆動部材（ギア等）、ユーザが操作する等が挙げられる。前記スプールに対して制動力を付与する磁気制動手段は、スプールとスプール軸との間、或いは、スプールと巻取駆動部材との間に配設されて、回転するスプールに対して制動力を付与する構成となっていれば良い。磁気制動手段は、釣糸の張力に対して制動力が十分大きい状態では、巻取駆動部材の回転は、そのままスプールに伝達され、制動力が小さい状態では、スプールは巻取駆動部材の回転に対して滑るようになる。
【００１２】
また、上記した磁気制動手段は、スプールと巻取駆動部材との間に配設されて、磁場の大きさに応じてスプールに対する制動力の大きさを変化させる方式であれば良く、上述したように、磁気反応摩擦材（磁性紛体、ＭＲ流体など）によるもの、或いは、磁気反応摩擦材を用いることなく、磁場の強弱によって制動力の大きさを変化させるものが含まれる。また、磁場発生手段は、磁気制動手段に対して、可変される磁場を提供できる構成であれば良く、例えば、通電する電流量を制御することで磁場の大きさを調整する励磁コイルによるもの、磁気制動手段に対する位置を変化させることで磁場の大きさを調整する永久磁石によるものが含まれる。
【発明の効果】
【００１３】
本発明によれば、リール本体を小型化して大きな制動力を作用させることを可能にする磁気制動手段を組み込んだ魚釣用リールを提供することができる。
【図面の簡単な説明】
【００１４】
【図１】本発明に係る魚釣用リールの第１の実施形態を示す図であり、内部構成を示した断面図。
【図２】図１に示す魚釣用リールの主要部の拡大図。
【図３】図１に示す魚釣用リールの変形例を示した主要部の拡大図。
【図４】本発明に係る魚釣用リールの第２の実施形態を示す図であり、主要部の拡大図。
【図５】本発明に係る魚釣用リールの第３の実施形態を示す図であり、内部構成の概略を示した断面図。
【発明を実施するための形態】
【００１５】
以下、本発明に係る魚釣用リールの実施形態について説明する。
図１及び図２は、本発明に係る魚釣用リールの第１の実施形態を示す図であり、図１は内部構成を示した断面図、図２は図１に示す魚釣用リールの主要部の拡大図である。
【００１６】
本実施形態に係る魚釣用リールのリール本体１は、左側板１Ａ、右側板１Ｂ、及び両側板１Ａ，１Ｂ間に回転自在に支持したスプール３を備えている。本実施形態では、右側板１Ｂ側にハンドル５を設けており、ハンドル５を巻き取り操作することで前記スプール３を回転駆動する構成となっている（右ハンドル式）。
【００１７】
前記リール本体１は、左右の側板１Ａ，１Ｂを構成するフレーム７を備えている。このフレーム７は、例えば、アルミニウム合金の金属材等によって一体形成されており、前記左側板（反ハンドル側の側板）１Ａそのものを構成すると共に、後述するカバー体１５を装着した状態で右側板１Ｂを構成している。すなわち、フレーム７は、左側板７Ａと右枠体７Ｂを備えており、左側板７Ａが前記リール本体１の左側板１Ａを構成し、右枠体７Ｂにカバー体１５を装着することで前記リール本体１の右側板１Ｂを構成している。
【００１８】
前記フレーム７は、左側板７Ａと右枠体７Ｂとを連結する連結部を備えている。この連結部は、例えば、スプール３の前方及び後方に設けるとともに、スプールの下方に設けることができ（連結部７Ｃ）、これらの連結部は、前記左側板７Ａ及び右枠体７Ｂと共に一体形成されている。なお、前記連結部７Ｃには、釣竿のリールシートに装着されるリール脚８が一体的に装着されている（リール脚はフレームと一体形成されていてもよい）。
【００１９】
前記フレーム７の左側板７Ａは、外周形状が側面視円形状に構成されており、左側板７Ａには、スプール３のフランジ部３Ａが収容される環状の凹所７ａが形成されている（凹所７ａの内径は、スプール３のフランジ部３Ａの外径よりも僅かに大きく形成されている）。また、左側板７Ａの中心領域には、凹部７ｂが形成されており、その凹所７ｂ内には軸受１０が配設され、スプール３の中央部を挿通するスプール軸（巻取駆動部材）２１の左側端部を回転自在に支持している。
【００２０】
前記フレーム７の右枠体７Ｂは、スプール３が挿脱できるようにリング状に形成されている。この右枠体７Ｂには、カバー体１５が止めビス１６によって被着されており、カバー体１５とスプール３のフランジ部３Ａの外側面（円形の外側面）３ｂとの間にはスペースＳが形成されている。このスペースＳ内には、ハンドル５の回転駆動力をスプール３に伝達する巻き取り駆動機構、磁気制動手段、及び磁場発生手段が配設されている。なお、リング状に形成された右枠体７Ｂの一部には、略半円状に膨出する膨出部７Ｄが形成されており、その部分に後述するドライブギアが収容できるように構成されている。
【００２１】
前記スプール３は、釣糸が巻回される釣糸巻回胴部３Ｂと、その両側に形成された前記フランジ部３Ａとを備えている。スプール３の中心部は、スプール軸２１が挿通されるように貫通孔３Ｃが形成されており、貫通孔３Ｃ内には、スプール３とスプール軸２１との間に軸受１７が配設されて、スプール３は、スプール軸２１に対して相対回転可能に支持されている。
【００２２】
前記右枠体７Ｂに被着されるカバー体１５は、前記スペースＳが生じるように凹状に形成されている。この場合、カバー体１５は、基本的に側面視で円形状に構成されているが、ハンドル５の巻き取り効率を向上するために、ハンドル軸５Ａには大きいドライブギアを装着するようにしている。このドライブギアは、上記したように、右枠体７Ｂに形成された膨出部７Ｄに収容されることから、カバー体１５には、この膨出部７Ｄを覆うように膨出部１５Ａが形成されている。
【００２３】
次に、上記したスペースＳ内に配設される巻き取り駆動機構、磁気制動手段、及び磁場発生手段について説明する。
【００２４】
上記したように、ハンドル５を回転操作すると、その回転駆動力は、巻き取り駆動機構２０を介してスプール軸２１に伝達され、スプール軸２１の回転駆動力は、スプール軸２１とスプール３との間に配設される磁気制動手段４０によって生じる制動力によってスプール３に伝達される。本実施形態の巻き取り駆動機構２０には、ハンドルの巻き取り駆動力をスプール側に伝達するに際して、高速巻き取り状態／低速巻き取り状態を切り換える公知の変速装置２０Ａが組み込まれている。
【００２５】
前記変速装置２０Ａは、前記スプール軸２１に並設される高速従動ギア２２、低速従動ギア２３と、それぞれのギアに噛合され、前記ハンドル５が装着された筒状のハンドル軸５Ａに並設された高速ドライブギア２４、低速ドライブギア２５とを備えている。なお、スプール軸２１は、カバー体１５に配設される軸受２６、及び、上記した軸受１０によって左右側板間に回転自在に支持されている。また、ハンドル軸５Ａは、カバー体１５に配設される軸受２８，２９によって回転自在に支持されている。
【００２６】
前記変速装置２０Ａは、ハンドル軸５Ａ内に軸方向に移動可能に配設され、複数のバネ部材３０ａ，３０ｂの付勢力によって位置決めされる切り換えシャフト３０と、切り換えシャフト３０の軸方向移動によって、高速ドライブギア２４及び低速ドライブギア２５に対して選択的に係合して高速巻き取り状態／低速巻き取り状態に切り換える切換部材３１と、前記ハンドル軸５Ａ周りに回動可能に装着され、切り換えシャフト３０を軸方向に駆動させる切換レバー３３とを備えており、切換レバー３３を所定角度回動操作することにより、切り換えシャフト３０が軸方向に移動され、切換部材３１が高速ドライブギア２４又は低速ドライブギア２５に係合してスプール３の巻き取りスピードが変更されるようになっている。
【００２７】
また、前記ハンドル軸５Ａには、カバー体１５との間に公知の一方向クラッチ３５が配設されており、ハンドル５の釣糸巻き取り方向の回転を許容し、逆回転を阻止している。なお、本発明の巻き取り駆動機構２０は、この実施形態に限らず、スプール軸に直接ハンドル軸を取り付けるような構成でも実現可能である。また、駆動源としてモータやエンジン等を用い、巻き取り駆動機構がその駆動源からトルクを伝達しても良い。
【００２８】
前記スペースＳ内に配設される磁気制動手段４０は、上記した巻き取り駆動機構２０（変速装置２０Ａ）を介して回転駆動されるスプール軸２１とスプール３との間に配設されている。
なお、本発明は、このような構成に限定されることはない。たとえば、ハンドル５に与えられた巻き取り駆動力は、従動ギアやドライブギアを介しスプール３に伝わるが、磁気制動手段４０は、その間の任意の場所に配置可能である。したがって、本発明でいうところの巻取駆動部材には、スプール軸、ギアやプーリ等の駆動力伝達部材、ハンドルが含まれる。
以下、本実施形態の磁気制動手段４０について説明する。
【００２９】
本実施形態の磁気制動手段４０は、磁場の大きさに応じて結合力が変化する磁気反応摩擦材であるＭＲ流体を有する構成であり、このような磁気反応摩擦材を収容した収容部材を、スプール３とスプール軸２１との間に配設し、前記磁気反応摩擦材に対する剪断応力によってスプール３に対して所望の制動力を付与するよう構成されている。前記磁気制動手段４０は、前記スプール３のフランジ部３Ａの外側面と対向して配設されており、両者の間にはリール本体を構成する枠体等が介在しない構成となっている。本実施形態の構成では、前記フランジ部３Ａの外側面に環状の凹所３ａが形成されており、凹所３ａの底面（フランジ部の外側面となる）３ｂに磁気制動手段４０を構成する円板状のスプールヨーク４１が固定されている。すなわち、磁気制動手段４０の構成部材がフランジ部３Ａの外側面３ｂに密着して配設されており、両者の間に間隙が存在しない状態で対向している。
【００３０】
前記円板状のスプールヨーク４１は、フランジ部３Ａの輪帯状の周縁面３ｃに当て付くと共に、凹所３ａ内に入り込むように屈曲部４１ａが形成されており、屈曲することで形成された当接面４１ｂがフランジ部３Ａの凹所３ａの底面３ｂに密着して固定されている。また、スプールヨーク４１の中心部分には、前記スプール軸２１を挿通させる開口４１ｃが形成されると共に、その周囲には環状壁部４１ｄが形成されており、環状壁部４１ｄがスプール３の開口内壁部３ｄに圧入された状態でスプールヨーク４１はスプールのフランジ部３Ａの外側面３ｂに密着、固定されている。なお、前記スプールヨーク４１は、磁気回路が形成可能な材料、たとえば純鉄等の強磁性体によって構成されている。
【００３１】
前記磁気制動手段４０は、前記スプールヨーク４１に被着される収容部材４３を備えている。収容部材４３は収容空間（密閉空間）Ｓ１を備えた略カップ形状に形成されており、開口側に形成されたフランジ部４３ａを前記スプールヨーク４１の屈曲部４１ａの段差に圧入することでスプールヨーク４１に対して固定されている。収容部材４３には、前記スプール軸２１が挿通する開口４３ｂが形成されると共に、スプール軸２１との間に前記軸受２７を配設する環状突起４３ｃが形成されており、スプール軸２１に対して相対回転可能な関係となっている。なお、前記収容部材４３は、アルミニウムや樹脂材料等、非磁性材料によって構成されている。
【００３２】
前記収容部材４３の収容空間Ｓ１内には、磁気反応摩擦材（ＭＲ流体）が密封されると共に、磁気反応摩擦材に対する剪断応力によってスプール３に対して制動力を付与する制動板が配設されている。この場合、磁気反応摩擦材は、そこに付与される磁場の大きさによってその結合力が変化する特性を備えており、制動板が回転することによって生じる剪断応力の大きさが変わることでスプール３に対する制動力が調整可能となっている。すなわち、後述する磁場発生手段によって生じる磁場の大きさを可変制御することによって、スプール３に対する制動力が調整される。
【００３３】
本実施形態の制動板は、スプールに対して大きな制動力が作用するように多板式に構成されている。以下、制動板の構成について説明する。
【００３４】
前記収容部材４３の内周面には、２枚の円板状の制動板（スプール側制動板；第１制動板）４５が、スペーサ４５ａを介在して一体的に固定（収容部材に固定）されている。前記第１制動板４５は、純鉄等の強磁性材料によって構成され、前記スペーサ４５ａは、アルミニウム等の非磁性材料によって構成されている。この場合、前記スペーサ４５ａは、２枚の第１制動板４５の間、一方の第１制動板４５と収容部材４３の内壁面との間、及び、他方の第１制動板４５とスプールヨーク４１の内面との間に、以下の第２制動板４７が入り込んで所定の隙間を維持できる厚さに形成されている。
【００３５】
前記収容部材４３に挿通されるスプール軸２１には、前記スペーサ４５ａによって維持される間隔に制動板（巻取駆動部材側制動板；第２制動板）４７が回り止め固定されている。この場合、第２制動板４７間には、スペーサ４７ａが介在されており、このスペーサ４７ａは、第２制動板を所定の間隔で維持できる厚さに形成されている。前記第２制動板４７は、純鉄等の強磁性材料によって構成され、前記スペーサ４７ａは、アルミニウム等の非磁性材料によって構成されている。
【００３６】
上記のように、本実施形態における制動板は、スプール側の第１制動板４５が２枚、巻取駆動部材側の第２制動板４７が３枚で構成される多板式となっており、これにより、収容部材４３の収容空間Ｓ１内に密封される磁気反応摩擦材に対して大きな制動力を生じさせることが可能となっている。なお、スプール軸２１とスプールヨーク４１との間、及び、スプール軸２１と収容部材４３との間には、環状の弾性シール材４８ａ，４８ｂが配設されており、収容部材４３の収容空間Ｓ１内を密封している。
【００３７】
前記リール本体には、上記した構成の磁気制動手段４０に対して異なる強度の磁場を付与する磁場発生手段５０が装着されている。
本実施形態の磁場発生手段は、外部電源から電流の供給を受けて異なる磁場を発生させる励磁コイル５１を備えている。前記励磁コイル５１は、スプール軸２１を中心軸として円筒形状に巻回されるコイルであり、純鉄等の磁性材料で形成された励磁ヨーク５２に装着されている。この場合、励磁ヨーク５２は、断面Ｌ字型となった環状の周壁５２ａを備えており、側板を構成する右枠体７Ｂに固定されている。そして、励磁コイル５１は、励磁ヨーク５２の環状の周壁５２ａの内側に固定され、収容部材４３の径方向外方に配設された状態となっている。すなわち、スプール３のフランジ部の外側面３ｂに対向する（密着する）ようにして磁気反応摩擦材を収容した収容部材４３を配設するとともに、収容部材４３の径方向外方に励磁コイル５１を配設しており、これにより磁気制動手段４０及び磁場発生手段５０を軸方向にコンパクト化することが可能となる。
【００３８】
上記のように、励磁コイル５１が、断面Ｌ字型となった環状の励磁ヨーク５２の周壁５２ａの内側に固定され、かつ、収容部材４３の径方向外方に配設されることで、励磁コイルに通電した際、スプールヨーク４１から励磁ヨーク５２に亘って磁気回路を形成することができ、前記収容部材４３に配設された制動板を横切る磁場（スプール軸方向に沿った磁場）を発生させる。この場合、前記スペースＳ内には、励磁コイル用の駆動回路を装着した制御基板５５が配設されており、駆動回路に対して外部電源（図示せず）から供給される電流値を制御することにより、励磁コイル５１で発生する磁場の強さ（前記制動板を通過する磁場の強度）を調整することが可能となっている。なお、励磁コイル５１に対する電流量は、リール本体の外部に装着した操作部材、たとえばカバー体１５に対して回動可能な操作レバー５７を配設し、その回動位置に応じて印加電流を可変制御することで調整される。
【００３９】
次に、上記した構成の魚釣用リールの作用及び効果について説明する。
前記励磁コイル５１に対して電流を通電すると、励磁コイルは磁束を発生し磁気回路を形成する。この磁気回路は、スプールヨーク４１、制動板４５，４７、及び励磁ヨーク５２を一周するように形成され、前記第１制動板４５、第２制動板４７の間に強力な磁場を発生させ、各制動板の間で磁気反応摩擦材が鎖状に連結する。
【００４０】
この状態でハンドルを回転操作すると、前記巻き取り駆動機構２０の一部である従動ギア２２，２３を介して一体回転するスプール軸２１が回転駆動される。このとき、スプール軸２１に回り止め固定された第２制動板４７が回転駆動され、磁気反応摩擦材には剪断応力が作用して、第１制動板４５を介して収容部材４３と一体回転するスプール３に摩擦トルクを伝達する。この摩擦トルクは、磁気反応摩擦材に働く磁束密度の大きさ、すなわち励磁コイル５１に通電する電流の大きさによって調整することができ、これにより、スプール３に対して所望の制動力を付与した状態での巻き取りをすることが可能となる。この場合、制動板は多板で構成されているため、各制動板間で発生する剪断応力が大きくなり、大きな制動力を生じさせることが可能となる。
【００４１】
次に、釣糸の繰り出し（魚のヒット等）に伴うスプール３の逆回転に制動力を付与する制動状態について説明する。
励磁コイル５１の通電状態（磁気反応摩擦材の鎖状連結状態）において、釣糸に張力が作用してスプール３に逆回転方向の力が作用した場合、スプール３と一体的な第１制動板４５と、スプール軸２１と一体的な第２制動板４７は摩擦連結され、そして巻き取り駆動機構２０を介して一方向クラッチ３５でハンドル軸５Ａは逆転止めされているので、励磁コイル５１への制御電流値に応じてスプール３の制動状態を調節できる。
【００４２】
上記した構成の魚釣用リールによれば、スプール３に対して制動力を付与する磁気制動手段４０がフランジ部３Ａの外側面３ｂと対向しており、磁気制動手段４０とフランジ部３Ａの外側面３ｂの間に、両者を仕切る側枠（フレーム）等が介在しないことから、従来のように、スプール３と外カバー１５との間に、磁気制動手段用の大きなスペースを設置する必要が無く、構造も簡略化されるため、リール本体１を可及的に小型化することが可能となる。また、磁場発生手段５０は、収容部材４３の径方向外方で励磁コイル５１を配設した構成であるため、磁気制動手段と磁場発生手段を軸方向にコンパクト化して配設することが可能となる。
【００４３】
特に、本実施形態では、フランジ部３Ａの外側面に、直接、磁気制動手段４０を構成するスプールヨーク４１を固定している（フランジ部３Ａの外側面３ｂと磁気制動手段４０は密着した状態となっている）ため、リール本体を小型化することができ、更には、フランジ部の外側面に環状の凹所３ａを形成し、その凹所３ａの底面（フランジ部の外側面となる）３ｂに磁気制動手段４０を構成する円板状のスプールヨーク４１を固定しているため、リール本体をより小型化することが可能となる。
【００４４】
また、フランジ部３Ａの外側面３ｂに対向するようにして磁気制動手段４０を配設しており、制動部分を大きく確保することができるため、スプールに対して大きな制動力を作用させることが可能となる。特に、フランジ部３Ａの外側面３ｂに対して磁気制動手段４０の構成部材を密着するように取り付けたことで、取り付け部分をフランジ部３Ａの比較的外径側に配置することができるため、十分な強度を確保することができ、大きな制動力（トルク）を作用させることが可能となる。
【００４５】
また、本実施形態では、励磁コイル５１は、フレーム７に固定されているため、外部から励磁コイル５１に容易に給電することができる。通常、電源あるいは電源ケーブルはフレーム７に保持されるが、励磁コイル５１とフレーム７の間に可動部がないため、防水対策を施すのが容易になり、電気的に信頼性が高いという効果がある。また、密閉された収容空間に励磁コイルを取り付ける構成に比べ、回転部分にブラシ等で給電する必要が無いため、摺動摩擦の発生を無くすことができるという効果がある。
【００４６】
なお、上記した構成において、スプール３のフランジ部３Ａの径方向外周部の環状部３ｅによって磁気制動手段４０及び磁場発生手段５０を覆うようにしても良い。このようにすることで、スプール３と励磁ヨーク５２との間に生じる隙間を覆うことができ、水滴や埃などの異物の混入を効果的に防止することが可能となる。また、釣糸がスプール軸２１に巻きつくことで発生する故障を未然に防止することができる。
【００４７】
図３は、上記した実施形態の変形例を示す図である。
上記した実施形態では、両側板間に回転自在に支持されたスプール軸２１の回りの径方向内方に磁気制動手段４０を配設し、その径方向外方に磁場発生手段５０を配設したが、これらを逆に配設しても良い。
【００４８】
すなわち、前記実施形態と同様、フランジ部３Ａの外側面に形成された環状の凹所３ａには、磁気制動手段４０Ａを構成する円板状のスプールヨーク４１が密着して固定されている。磁気制動手段４０Ａは、スプールヨーク４１に被着され、収容空間Ｓ１を備えた断面Ｌ字型で中央領域が開口したカップ状に形成された収容部材４３Ａと、スプール軸２１に回り止め固定された純鉄等の強磁性材料からなる円板状の保持部４３Ｂとを備えており、保持部４３Ｂには、アルミニウム等の非磁性材料からなる外カバー側に向けて軸方向に突出する環状の突起（制動板保持部）４３Ｃが一体的に形成されている。これらの収容部材４３Ａ、及び、保持部４３Ｂ及び突起４３Ｃは、磁気反応摩擦材（ＭＲ流体）を密封する収容空間Ｓ１を規定しており、この収容空間Ｓ１内には、磁気反応摩擦材に対する剪断応力によってスプール３に対して制動力を付与する制動板が配設されている。
【００４９】
前記収容部材４３Ａの環状壁の内面には、所定間隔をおいて純鉄等の強磁性材料からなる２枚の円板状の制動板（スプール側制動板；第１制動板）４５Ａが固定されている。また、前記環状の突起４３Ｃの外面には、前記２枚の第１制動板４５Ａの間、及び、一方の制動板４５Ａと収容部材４３Ａの内面との間に１枚ずつ、純鉄等の強磁性材料からなる合計２枚の制動板（巻取駆動部材側制動板；第２制動板）４７Ａがスプール軸２１と一体回転可能に回り止め固定されており、これらが相互に所定間隔をおいて隣接して配設されている。これら複数枚の制動板４５Ａ，４７Ａは、上記した実施形態と同様、磁気反応摩擦材が密封された収容空間Ｓ１内で磁気反応摩擦材に対して大きな制動力を生じさせることが可能となっている。
【００５０】
なお、各制動板間には、上記した実施形態と同様、スペーサを介在してその間隔を維持するようにしても良い。また、前記スプールヨーク４１とスプール軸２１との間、及び、収容部４３Ａと環状の突起４３Ｃとの間には、環状の弾性シール部材４８Ａ，４８Ｂが配設されており、収容部材４３Ａの収容空間Ｓ１内を密封している。さらに、スプール軸２１には、スプール３を回転可能に支持する軸受１８が配設されている。
【００５１】
前記リール本体には、上記した構成の磁気制動手段４０Ａに対して異なる強度の磁場を付与する磁場発生手段５０Ａが装着されている。
本実施形態の磁場発生手段は、磁気制動手段４０Ａに対して径方向内側に配設されており、外部電源から電流の供給を受けて異なる磁場を発生させる励磁コイル５１Ａを備えている。前記励磁コイル５１Ａは、スプール軸２１を中心軸として円筒形状に巻回されるコイルであり、純鉄等の磁性材料で形成された励磁ヨーク５２Ａに装着されている。この場合、励磁ヨーク５２Ａは、断面Ｌ字型となった環状の周壁５２Ｂを備えており、リール本体を構成する右枠体７Ｂに固定されている。前記励磁コイル５１Ａは、環状の周壁５２Ｂの径方向外側に固定され、収容部材４３Ａの径方向内方に配設された状態となっている。
【００５２】
このような構成では、励磁コイル５１Ａに通電すると、スプールヨーク４１から励磁ヨーク５２Ａに亘って磁気回路が形成され、前記収容部材４３Ａの内部には、スプール軸方向に沿った磁場を発生させることが可能となる。
このように、径方向の外側に磁気制動手段４０Ａを配設し、その径方向内方に磁場発生手段５０Ａを配設しても、上記した実施形態と同様な作用効果が得られる。
【００５３】
図４は、本発明に係る魚釣用リールの第２の実施形態を示す図である。
本実施形態の磁気制動手段４０Ｂは、スプール３のフランジ部３Ａの外側面３ｂに対して被着され略カップ状に形成された収容部材４３Ｄを備えている。収容部材４３Ｄは収容空間Ｓ１を備えており、環状の周壁４３Ｅの端面をフランジ部３Ａの外側面３ｂに当て付けた状態でスプール３に対して固定されている。収容部材４３Ｄには、スプール軸２１に回り止め固定された軸ヨーク４７Ｄが挿通する開口４３ｂが形成されると共に、軸ヨーク４７Ｄとの間に軸受２７Ａを配設する環状突起４３Ｆが形成されており、収容部材４３Ｄは、スプール軸２１に対して相対回転可能な関係となっている。また、収容空間Ｓ１内には、軸ヨーク４７Ｄの一部、及び軸ヨーク４７Ｄに一体化されると共に径方向に延びた輪帯状の制動板保持部材４７Ｅが配設されている。
【００５４】
前記収容部材４３Ｄの収容空間Ｓ１内には、磁気反応摩擦材（ＭＲ流体）が密封されると共に、磁気反応摩擦材に対する剪断応力によってスプール３に対して制動力を付与する制動板が配設されている。この場合、制動板は多板式に構成されており、スプールのフランジ部３Ａの外側面３ｂに別体として固定され、軸方向に突出した４枚の環状の制動板（スプール側制動板；第１制動板）４５Ｂと、前記制動板保持部材４７Ｅに固定され、第１制動板４５Ｂ間の隙間、第１制動板４５Ｂと収容部材４３Ｄの環状の周壁４３Ｅとの間の隙間、第１制動板４５Ｂと軸ヨーク４７Ｄとの間の隙間に配置される５枚の環状の制動板（巻取駆動部材側制動板；第２制動板）４７Ｂとを備えており、これらがスプールのフランジ部の外側面に同心状に交互に配列されている。なお、スプール３、収容部材４３Ｄ、前記制動板保持部材４７Ｅはアルミ等の非磁性材料から構成される。また、第１制動板４５Ｂ、第２制動板４７Ｂ、軸ヨーク４７Ｄは純鉄などの強磁性材料から構成される。
【００５５】
前記複数枚の制動板４５Ｂ，４７Ｂは、上記した実施形態と同様、磁気反応摩擦材が密封された収容空間Ｓ１内で磁気反応摩擦材に対して大きな制動力を生じさせることが可能となっている。なお、各制動板間には、上記した実施形態と同様、スペーサを介在してその間隔を維持するようにしても良い。また、前記スプール３Ａとスプール軸２１との間、及び、収容部材４３Ｄと軸ヨーク４７Ｄとの間には、Ｏリング４８Ｃ，４８Ｄが配設されており、収容部材４３Ｄの収容空間Ｓ１内を密封している。
【００５６】
前記リール本体には、上記した構成の磁気制動手段４０Ｂに対して異なる強度の磁場を付与する磁場発生手段５０Ｂが装着されている。
本実施形態の磁場発生手段は、磁気制動手段４０Ｂに対して軸方向外方に配設されており、外部電源から電流の供給を受けて異なる磁場を発生させる励磁コイル５１Ｂを備えている。前記励磁コイル５１Ｂは、スプール軸２１を中心軸として円筒形状に巻回されるコイルであり、純鉄等の磁性材料で形成された励磁ヨーク５２Ｃに装着されている。この場合、励磁ヨーク５２Ｃは、断面Ｌ字型となった環状の周壁５２Ｄを備えており、リール本体を構成する右枠体７Ｂに固定されている。前記励磁コイル５１Ｂは、環状の周壁５２Ｄの内面に固定され、収容部材４３Ｄの軸方向外方に配設された状態となっている。
【００５７】
このような構成では、励磁コイル５１Ｂに通電すると、励磁ヨーク５２Ｃに沿って磁気回路が形成され、前記収容部材４３Ｄの内部には、スプール軸方向と直交する方向（制動板４５Ｂ，４７Ｂを横切る方向）に沿った磁場を発生させることが可能となる。
【００５８】
本実施形態によれば、第１制動板４５Ｂ及び第２制動板４７Ｂがそれぞれ環状に形成され、径方向に隙間を介して対向している（同心状に配列されている）ため、上記した実施形態の構成よりも制動板の精度が出し易くなる。すなわち、上記した形状の制動板については、旋盤等によって容易に加工することができ、径方向の寸法については、ゲージ等によって管理できるため、精度が出易くなり、制動板間の隙間の幅についても管理し易く、隙間を狭くしても接触することがなくなる。これにより、制動板同士の隙間を狭くすることで磁束密度を上げることができ、大きな制動力を作用させることが可能となる。
【００５９】
また、上記した制動板の配列によれば、収容部材４３Ｄを外すことで、それぞれの制動板４５Ｂ，４７Ｂを分解することなく、スプール側とスプール軸側を分解することが可能となり、メンテナンス時の作業性の向上や問題発生時の原因を特定し易くなる。
【００６０】
さらに、励磁コイル５１Ｂは、制動板４５Ｂ，４７Ｂと略同径で軸方向に沿って併設することができるため、それぞれの部材をデッドスペース無く配置することができ、また、形成される磁気回路も小型化することができるため、リール本体を効率的に小型化することが可能となる。
【００６１】
なお、本実施形態では、第１制動板４５Ｂは、スプールのフランジ部３Ａに固定したが、フランジ部３Ａの外側面３ｂに、同様な形状の制動板（同心状に配列された制動板）が設けられたヨーク部材を取着する構成であっても良い。
【００６２】
図５は、本発明に係る魚釣用リールの第３の実施形態を示す図であり、内部構成の概略を示した断面図である。
上述した実施形態では、磁気制動手段として、磁気反応摩擦材（ＭＲ流体、磁性紛体など）を収容部材の密閉された収容空間に封入し、これに対して磁場を加えることでスプール３に対する制動力を調整するように構成していたが、磁気制動手段については、密閉された収容空間を具備する収容部材を配設しない構成であっても良い。たとえば、ヒステリシスブレーキによる非接触タイプで制動力を加えるもの、或いは、電磁アクチュエータによる接触摩擦によって制動力を加えるもので構成することが可能である。この場合、いずれのタイプの磁気制動手段８０も、図５に示すように、その構成要素がスプール３のフランジ部３Ａの外側面３ｂに対して対向（一部の構成要素が外側面３ｂに対して取着されている構成を含む）していれば良く、これによりカバー体１５とスプール３のフランジ部３Ａの外側面（円形の外側面）３ｂとの間のスペースＳを軸方向に縮小してリール本体を小型化することが可能となる。
【００６３】
なお、磁場発生手段９０については、上述した実施形態と同様、制動板に対して異なる磁場を付与できるように、制御基板５５によって印加電流が制御される励磁コイルを含むもので構成することが可能である。
【００６４】
以上、本発明の実施形態について説明したが、本発明は上記した実施形態に限定されることはなく、種々変形することが可能である。
上記した実施形態では、磁場発生手段は励磁コイルによって構成したが、永久磁石によって構成しても良い。この場合、永久磁石による磁場の強度が調整できるように、リール本体内に永久磁石の位置をシフトさせる移動機構、及び、移動機構を駆動する操作部材を配設すれば良い。また、磁気反応摩擦材は、磁場の強度でその粘度が調整できる公知の流体を適宜使用しても良い。
【００６５】
上記した実施形態では、磁気制動手段、及び、磁場発生手段をハンドル側の側板内に配設することで、反ハンドル側の側板を握持、保持し易い形状に構成していたが、これらの部材に関しては、反ハンドル側の側板に配設しても良い。また、上記した実施形態では、スプール３を手動で巻き取る形式の魚釣用リールについて説明したが、スプールを駆動モータによって回転駆動する電動タイプの魚釣用リールに適用することが可能である。このような構成では、駆動モータを駆動する外部電源からの電力を励磁コイルに供給することが可能である。
【００６６】
また、スプールを回転駆動するための巻き取り駆動機構の構成については適宜変形することが可能であり、スプールに対して制動力を付与する磁気制動手段についても、上記した実施形態のように、スプール３とスプール軸２１との間に配設されていても良いし、スプール３とスプール軸に対して回転自在に配設される駆動部材（例えば、巻き取り駆動機構の構成要素であるギア等）との間に配設されていても良い。すなわち、磁気制動手段については、磁場の強度に応じて、回転するスプールに対して制動力を付与可能な構成であれば良い。さらに、磁気制動手段については、その構成部材がスプールのフランジ部の外側面に対して対向していれば良く、その構成要素の配置や具体的な形状についても適宜変形することが可能である。
【符号の説明】
【００６７】
１  リール本体
１Ａ，１Ｂ  側板
３  スプール
３Ａ  フランジ部
３ｂ  外側面
２０  巻き取り駆動機構
２１  スプール軸
４０，４０Ａ，４０Ｂ  磁気制動手段
５０，５０Ａ，５０Ｂ  磁場発生手段
【図１】
0006449718.tif 000002
【図２】
0006449718.tif 000003
【図３】
0006449718.tif 000004
【図４】
0006449718.tif 000005
【図５】
0006449718.tif 000006